(57)【要約】【課題】ガイドワイヤを挿通可能で、かつ側孔からガイドワイヤが外部に飛び出すことを抑制可能な医療用チューブを提供する。【解決手段】ガイドワイヤ１０を挿通可能なメインルーメン３を有するチューブ本体１と、メインルーメン３に連通するようにチューブ本体１に形成された側孔６とを備え、側孔６の中心軸７がチューブ本体１の軸線方向Ａに対して傾斜して形成され、側孔の内側開口が外側開口よりもチューブ本体の先端寄りに位置するように形成された構成とする。【選択図】図４
0003132407.tif 000002
【実用新案登録請求の範囲】
【請求項１】
ガイドワイヤを挿通可能なメインルーメンを有するチューブ本体と、前記メインルーメンに連通するように前記チューブ本体に形成された側孔とを備え、該側孔の中心軸が前記チューブ本体の軸線方向に対して傾斜して形成され、前記側孔の内側開口が外側開口よりもチューブ本体の先端寄りに位置するように形成されたことを特徴とする医療用チューブ。
【請求項２】
イレウスチューブとして用いることを特徴とする請求項１記載の医療用チューブ。
【考案の詳細な説明】
【技術分野】
【０００１】
本考案は、体内に導入してガスや液状物を排出するための医療用チューブに関するものであり、特にガイドワイヤを挿通可能な医療用チューブに関するものである。
【背景技術】
【０００２】
従来、腸閉塞の診断や治療を行なうために用いられるイレウスチューブとしては、特許文献１に示すように、複数のルーメン（管路）が形成されたチューブ本体の先端部に重りとして機能する先導子が設けられ、先導子の後方にはバルーンが設けられている。チューブ本体に形成された複数のルーメンのうち、最も径の大きなルーメンが腸内の内容物を排出するためのメインルーメンとされる。
【０００３】
チューブ本体には、メインルーメンに連通する複数の側孔が形成されており、この側孔を経てメインルーメンに腸内の内容物が取入れられる。イレウスチューブのメインルーメンには、ガイドワイヤを挿通することができるようになっている。このガイドワイヤは、体内でイレウスチューブを案内する働きをするものである。
【特許文献１】特開平０８−１７３５４１号公報
【考案の開示】
【考案が解決しようとする課題】
【０００４】
ところで、上記イレウスチューブに形成された側孔は、図５に示すように、側孔２６の中心軸２７がチューブ本体２１の軸線方向Ａに対して直交する方向とされている。したがって、チューブ本体２１が屈曲された状態でメインルーメン２３内にガイドワイヤ３０を挿通させる場合には、ガイドワイヤ３０の先端が側孔２６の開口内に入ってしまうことがあり、図６に示すように、ガイドワイヤ３０がチューブ本体２１の外部に飛び出してしまうおそれがあった。
【０００５】
そこで、本考案においては、ガイドワイヤを挿通可能で、かつ側孔からガイドワイヤが外部に飛び出すことを抑制可能な医療用チューブを提供することを目的とする。
【課題を解決するための手段】
【０００６】
上記目的を達成するため、本考案に係る医療用チューブは、ガイドワイヤを挿通可能なメインルーメンを有するチューブ本体と、メインルーメンに連通するようにチューブ本体に形成された側孔とを備え、該側孔の中心軸がチューブ本体の軸線方向に対して傾斜して形成され、側孔の内側開口が外側開口よりもチューブ本体の先端寄りに位置するように形成されたことを特徴とする。
【０００７】
上記構成によれば、側孔をチューブ本体の軸線方向に対して傾斜するように形成したため、ガイドワイヤの先端が側孔の開口内に入って側孔の周壁に当接した場合、ガイドワイヤにかかる力は、ガイドワイヤの先端を周壁に対して直交する方向に押し付ける力と、ガイドワイヤの先端を周壁に沿ってチューブ本体の半径方向内方に移動させる力とに分解することができる。すなわち、ガイドワイヤは、側孔の周壁に沿ってチューブ本体の半径方向内方に移動しようとするため、ガイドワイヤが側孔から外部に飛び出すのを効果的に抑制することが可能となる。
【０００８】
本考案に係る医療用チューブとしては、側孔を有し、ガイドワイヤを使用して案内するものであれば特に制限なく使用することができ、例えば、経皮的胆道ドレナージチューブ（ＰＴＣＤチューブ）等のドレナージ用カテーテルを挙げることができるほか、特にイレウスチューブとして好適に使用することができる。
【考案の効果】
【０００９】
以上の説明から明らかなように、本考案によると、側孔を中心軸がチューブ本体の軸線方向に対して傾斜するように形成したため、ガイドワイヤが側孔から外部に飛び出すのを効果的に抑制することができる。
【考案を実施するための最良の形態】
【００１０】
以下、本考案の実施の形態を図面に基づいて説明する。図１〜３は、本考案に係る医療用チューブとしてイレウスチューブの実施形態を示す図であり、図１はイレウスチューブの平面図を、図２は図１における側孔部分の拡大図を、図３は図１におけるA-A横断面図をそれぞれ示す。
【００１１】
本実施形態におけるイレウスチューブは、チューブ本体１の先端に先導子２を備えている。先導子２は、金属やセラミックスで形成された球状体を複数個直列に配列させた状態でシリコーンゴム等の弾性体で被覆して構成されている。なお、先導子２は軸方向に中空構造とされ、チューブ本体１のメインルーメン３に連通している。
【００１２】
チューブ本体１において、先導子２の後方にはバルーン４が備えられている。チューブ本体１は、基本的に腸内の内容物を対外に排出する通路となるメインルーメン３と、バルーン４に膨張用流体を注入するためのサブルーメン５を備えている。そして、バルーン４の前後のチューブ本体１にはメインルーメン３に連通する側孔６が形成されている。
【００１３】
図４は、チューブ本体の一部を示す縦断面図である。本実施形態では、側孔６は、その中心軸７がチューブ本体１の軸線１２に平行な軸線方向Ａに対して傾斜するように形成される。なお、側孔６の傾斜の向きは、側孔６を穿設することによってチューブ本体１の内面に形成された内側開口８が、外面に形成された外側開口９よりもチューブ本体１の先端寄りに位置するように形成される。
【００１４】
このように側孔６を傾斜させることにより、側孔６の周壁１１がチューブ本体１の軸線方向Ａに対して傾斜する傾斜面として形成される。こうして形成された側孔の周壁１１にガイドワイヤ１０が押し当てられると、その力Ｆは、図４に示すように、ガイドワイヤ１０を周壁１１に対して直交する方向に押しつける力と、ガイドワイヤ１０の先端を周壁１１に沿ってチューブ本体１の半径方向内方に移動させる力とに分解することができる。これにより、ガイドワイヤ１０が側６孔から外部に飛び出すのを効果的に抑制することが可能となる。
【図面の簡単な説明】
【００１５】
【図１】本考案に係るイレウスチューブを示す平面図
【図２】図１における側孔部分の拡大図
【図３】図１におけるA-A横断面図
【図４】チューブ本体の一部を示す縦断面図
【図５】従来のイレウスチューブのチューブ本体の一部を示す縦断面図
【図６】図５においてガイドワイヤがチューブ本体から飛び出した状態を示す図
【符号の説明】
【００１６】
１        チューブ本体
２        先導子
３        メインルーメン
４        バルーン
５        サブルーメン
６        側孔
７        側孔の中心軸
８        内側開口
９        外側開口
１０        ガイドワイヤ
１１        側孔の周壁
１２        チューブ本体軸線
Ａ        チューブ本体の軸線方向
【図１】
0003132407.tif 000003
【図２】
0003132407.tif 000004
【図３】
0003132407.tif 000005
【図４】
0003132407.tif 000006
【図５】
0003132407.tif 000007
【図６】
0003132407.tif 000008